(57)【要約】      （修正有）【課題】火災やその他の事象等が発生した際に、発信機の作動とのその後の作業のガイド等をスムーズに行える発信機及び消火栓装置を提供する。【解決手段】消火栓装置１において、発信機２は火災受信機に向けて火災信号を発信する。発信機は、発信機を取り付ける壁面５の開口５ａに略四角形枠状の表示灯６が装着され、表示灯の背面側に発信機の液晶表示パネル７が設置されている。液晶表示パネルの背面側に設けた支持枠体８の底面８ａと液晶表示パネルとの間にコイルスプリング１３が設置され、底面には操作スイッチ１４が設置されている。液晶表示パネルは押しボタンの画像と火災の消火方法等の画像とに切り替え可能とされている。火災の際に液晶表示パネルを２０Ｎ以上の力で押すと、コイルスプリングの付勢力に抗して液晶表示パネル７が移動し、操作スイッチを押して火災信号を発信する。【選択図】図２
2020129299.tif 000002
【特許請求の範囲】
【請求項１】
発信信号を出力する発信機であって、
画像を切り換え表示可能であると共に押圧することで移動可能な表示パネルと、
前記表示パネルの移動によって作動し前記発信信号を出力可能な操作スイッチと、
を備えたことを特徴とする発信機。
【請求項２】
前記表示パネルの表面に、前記表示パネルの画像を切り替え可能なタッチパネルが設置されている請求項１に記載された発信機。
【請求項３】
前記表示パネルの前面に保護部材が設置されており、前記保護部材を移動させることで前記保護部材または前記表示パネルによって前記操作スイッチを作動するように配設した請求項１または２に記載された発信機。
【請求項４】
前記タッチパネルの前面に保護部材が配設され、前記保護部材の背面側に前記タッチパネルを押圧可能なスタイラスパッドが配設されている請求項２に記載された発信機。
【請求項５】
前記表示パネル、またはタッチパネルを挟んで前記表示パネルの前面に配設した保護部材の背面には、前記表示パネルの移動に抵抗する弾性部材が設置され、
前記表示パネルを所定値以上の力で押した場合に前記弾性部材の付勢力に抗して前記表示パネルを移動させて前記操作スイッチを作動する請求項１から４のいずれか１項に記載された発信機。
【請求項６】
前記表示パネルの前面側に表示灯が設置されている請求項１から５のいずれか１項に記載された発信機。
【請求項７】
前記表示灯は前記表示パネルより照度が高く設定されている請求項６に記載された発信機。
【請求項８】
前記表示パネルを移動した位置に保持するラッチ部材が設置され、前記操作スイッチは一定時間以上押圧された場合に前記発信信号を出力する請求項１から７のいずれか１項に記載された発信機。
【請求項９】
前記表示パネルは、２０Ｎ以上８０Ｎ以下の力で押すことで移動する請求項１から８のいずれか１項に記載された発信機。
【請求項１０】
請求項１から９のいずれか１項に記載された前記発信機を備えており、前記発信信号は火災信号であることを特徴とする消火栓装置。
【発明の詳細な説明】
【技術分野】
【０００１】
本発明は、火災信号等の各種の発信信号を出力する発信機と、この発信機を備えた屋内消火栓装置等の消火栓装置とに関する。
【背景技術】
【０００２】
従来、屋内等に設置された消火栓装置として、例えば特許文献１に記載された消火栓装置が提案されている。この消火栓装置１００は、図７に示すように、収納箱１０１の扉１０２内に消火用ホースが収納され、その上部の通報パネル１０３には、発信機１０４、常時点灯する赤色表示灯１０５、警報用の音響孔１０６が設けられている。また、通報パネル１０３に図示しない応答ランプが設置されていてもよい。
【０００３】
そして、建物の管理者や利用者等は、火災発生の際、消火活動のために、発信機１０４のスイッチボタンを押す。発信機１０４のスイッチＯＮによって火災信号が監視室の火災受信機に送信されて火災警報が出され、これに伴い応答信号が火災受信機から送られて応答ランプを点灯し、音響孔１０６から火災警報が出されるようにしている。また、発信機１０４のＯＮによって消火用水を消火用ホースに供給するための消火用ポンプを起動させる。
【先行技術文献】
【特許文献】
【０００４】
【特許文献１】特開２０１２−１７６１８１号公報
【発明の概要】
【発明が解決しようとする課題】
【０００５】
ところで、発信機１０４は火災信号に基づく火災警報の発信、応答ランプの点灯、消火用ポンプの起動後に別の仕事をすることはない。また、建物の管理者や利用者等は、火災発生時に発信機１０４の作動を行って消火栓装置１００の扉１０２を開けた後、消火活動のためにどのような操作や作業をしたらよいかわからない場合が多かった。そのため、消火活動のために消火栓装置１００を迅速且つスムーズに使用することができない場合が多く、消火栓装置１００の利用率は高くなかった。
また、発信機１０４を火災以外の用途で警報の発信や情報の報知等のために使用する場合でも、発信機１０４の作動操作に続く他の作業のガイドが十分表示されていない場合が多かった。
【０００６】
本発明は、このような事情に鑑みてなされたものであり、火災やその他の事象等が発生した際に、発信機の作動操作とその後の作業のガイド等をスムーズに行えるようにした発信機及びこの発信機を用いた消火栓装置を提供することを目的とする。
【課題を解決するための手段】
【０００７】
本発明による発信機は、発信信号を出力する発信機であって、画像を切り換え表示可能であると共に押圧することで移動可能な表示パネルと、表示パネルの移動によって作動し発信信号を出力可能な操作スイッチと、を備えたことを特徴とする。
本発明による発信機では、例えば押しボタンや押圧指示等の画像が表示された表示パネルを押圧することで、表示パネルが背面側に移動して操作スイッチを押すことができ、これによって発信信号を出力することができる。発信信号を受けた受信機によって、例えば警報や応答信号を発信したり、消火用ポンプ等の作動機器を起動したりすることができる。更に、発信信号によって表示パネルの画像の切り換え等を指示できる。
【０００８】
また、表示パネルの表面に、表示パネルの画像を切り替え可能なタッチパネルが設置されていることが好ましい。
表示パネルを押圧する際、タッチパネルを作動することで、表示パネルの画像を切り換えてその後の作業のガイドを表示できる。
【０００９】
また、表示パネルの前面に保護部材が設置されており、保護部材を移動させることで保護部材または表示パネルによって操作スイッチを作動するように配設してもよい。
保護部材を押圧することで、保護部材と表示パネルを一体に移動させることができて、保護部材または表示パネルによって操作スイッチを作動することができる。
【００１０】
また、タッチパネルの前面に保護部材が配設され、保護部材の背面側にタッチパネルを押圧可能なスタイラスパッドが配設されていてもよい。
保護部材を介して表示パネルを押圧する際、スタイラスパッドがタッチパネルに接触して作動することができるため、表示パネルの画像を切り替えることができる。しかも、保護部材の押圧によって保護部材と表示パネルを移動させて操作スイッチを作動することができる。
【００１１】
また、表示パネル、またはタッチパネルを挟んで表示パネルの前面に配設した保護部材の背面には表示パネルの移動に抵抗する弾性部材が設置され、表示パネルを所定値以上の力で押した場合に弾性部材の付勢力に抗して表示パネルを移動させて操作スイッチを作動するようにしてもよい。
表示パネルまたは保護部材を押圧する際、例えば２０Ｎ等の所定値に満たない力で押圧した場合には、弾性部材の付勢力によって表示パネル及び保護部材は操作スイッチを作動できず、誤作動を防ぐことができる。そして、所定値以上の力で押すことで、タッチパネルと操作スイッチを作動することができ、表示パネルの表示画像の切り換えと操作スイッチからの発信信号の出力との両方を行うことができる。
【００１２】
また、表示パネルの前面側に表示灯が設置されていてもよい。
表示灯を設置することで、使用者は発信機の表示パネルの位置を容易に視認できる。
【００１３】
また、表示灯は表示パネルより照度が高く設定されていることが好ましい。
表示灯の照度が表示パネルの照度より高いことで、表示灯の位置を容易に認識できる。
【００１４】
また、表示パネルを移動した位置に保持するラッチ部材が設置され、操作スイッチは一定時間以上押圧された場合に発信信号を出力するように設定してもよい。
表示パネルが移動して操作スイッチを作動した状態で、ラッチ部材によって表示パネルを保持することで操作スイッチは一定時間以上連続して押圧されて発信信号を出力することができる。
また、表示パネルは、２０Ｎ以上８０Ｎ以下の力で押すことで移動するようにしてもよい。
【００１５】
本発明に係る消火栓装置は、上述したいずれかに記載された発信機を備えており、発信信号は火災信号であることを特徴とする。
本発明による消火栓装置では、発信機の例えば押しボタンや押圧指示等の画像が表示された表示パネルを押圧することで、表示パネルが移動して操作スイッチを押すことができ、これによって火災信号を出力することができる。火災信号を受けた受信機によって、例えば火災警報や応答信号を発信したり、消火用ポンプを起動したりすることができる。更に、火災信号によって表示パネルの画像の切り換え等を指示できる。
【発明の効果】
【００１６】
本発明に係る発信機及び消火栓装置によれば、手動等で押圧された表示パネルが移動することで操作スイッチが作動して発信信号を出力することができ、しかも表示パネルには画像として例えば押しボタンを表示したり作業方法を表示したりすることができるため、使用者の作業をガイドすることができる。
しかも、本発明による発信機は表示パネルを押すことで、発信信号の出力と表示パネルの画像の切り換えを行うことができるため、構成と操作が簡単である。
【図面の簡単な説明】
【００１７】
【図１】本発明の第一実施形態による消火栓装置の発信機の斜視図である。
【図２】図１に示す発信機のＡ−Ａ線断面図である。
【図３】発信機の液晶表示パネルを示す図であり、（ａ）は押しボタンの画像を示す図、（ｂ）は消火の作動手順の画像を示す図である。
【図４】第二実施形態による消火栓装置の発信機の断面図である。
【図５】第三実施形態による消火栓装置の発信機を示すものであり、（ａ）は発信機の断面図、（ｂ）はスタイラスパッドの正面図である。
【図６】第四実施形態による消火栓装置の発信機の断面図である。
【図７】従来の消火栓装置の概略図である。
【発明を実施するための形態】
【００１８】
以下、本発明の実施形態による消火栓装置に設けた発信機について添付図面により説明する。
まず、第一実施形態による消火栓装置１の発信機２を図１から図３に基づいて説明する。本実施形態による消火栓装置１は、例えばビル等の建物や自動車専用トンネル内の壁面に設置された屋内消火栓であり、火災の際に消火するために用いられる。消火栓装置１は消火用ホースを収納した消火栓収納箱(図示せず)の上側または横側に隣接して発信機収納箱３を備えている。
【００１９】
発信機収納箱３は発信機２を収納した第１筐体であり、発信機収納箱３の前側の壁面５に形成された開口５ａの周囲には例えば略四角形枠状に形成された表示灯６が装着されている。表示灯６は防災機器としての発信機２の設置位置を示すものである。表示灯６の下側には、発信機２を押したことを表示するために点灯または点滅する応答ランプ４が設置されている。なお、応答ランプ４は液晶表示パネル７内に画像として表示して点灯または点滅させてもよい。
【００２０】
表示灯６は例えば全周に亘ってＬＥＤ等の光源を内蔵した略角筒形状を有しており、壁面５の開口５ａの背面側(後側)に装着された断面略Ｌ字状の装着枠６ａと、その背面側に延びていて略四角形状の開口を縮径させるように傾斜面状に形成された傾斜面部６ｂと、傾斜面部６ｂの更に背面側に設けられた略四角形状の開口筒部６ｃとで一体形成されている。傾斜面部６ｂは例えばその内側と背面側に向かって縮径するように傾斜している。
なお、表示灯６は略四角形筒状に限定されることなく、正面視略円形や楕円形等のリング状やその他の適宜形状の筒形状を形成することができる。
【００２１】
表示灯６の背面側には開口筒部６ｃに対向して、表示パネルとしての液晶表示パネル７が設置され、液晶表示パネル７の背面側には液晶表示パネル７を支持する支持枠体８が設置されている。液晶表示パネル７は例えば略四角形板状に形成され、その前面にはタッチパネル１０が積層して被着されている。液晶表示パネル７は押しボタン１２の画像を表示でき、更に画像を切り換えることで例えば消火活動の手順(使用方法)を示すガイダンス、アニメーション、時刻や文字等の画像を任意に表示することができる。
タッチパネル１０は表示灯６より突出しない位置、表示灯６から背面側に後退した位置に設置されている。これにより、ビル管理者等の使用者が誤ってタッチパネル１０に接触したり押したりして誤作動することを防止できる。
【００２２】
液晶表示パネル７の背面に設けられた支持枠体８は例えば四角形板状の底面８ａと四辺の側面８ｂとで形成された枠体形状であり、平面視略四角形状で断面略コの字状に形成されている。そして、液晶表示パネル７と支持枠体８の底面８ａとの間には弾性部材として例えばコイルスプリング１３が設置されている。コイルスプリング１３は例えば液晶表示パネル７と底面８ａとの各角部に装着されている。
【００２３】
また、支持枠体８の底面８ａの中央には、発信信号として火災信号を出力するための発信機２の操作スイッチ１４が設置されている。液晶表示パネル７に表示された押しボタン１２の画像を押すことで、液晶表示パネル７がコイルスプリング１３の付勢力に抗して移動(変位)して操作スイッチ１４の先端部１４ａが押され、スイッチＯＮする。
これによって、操作スイッチ１４から火災信号が発信され、図示しない監視室の火災受信機で受信される。火災受信機では火災信号を受信すると、火災警報が出され、応答信号が発信されて消火栓装置１の応答ランプ４が点灯または点滅され、更に、消火用水を消火用ホースに供給する消火用ポンプを起動する。
【００２４】
なお、液晶表示パネル７のタッチパネル１０を使用者が指等で押す際に、所定の範囲の押圧力、例えば２０Ｎ(ニュートン)以上、８０Ｎ以下の力で押すことでコイルスプリング１３の付勢力に抗して圧縮させて、液晶表示パネル７を底面８ａ側に移動させて操作スイッチ１４を作動することができる。液晶表示パネル７を押す力が２０Ｎより小さい場合には液晶表示パネル７は十分移動せず、操作スイッチ１４を作動させない。そのため、誤ってタッチパネル１０を押した場合でも誤作動を防ぐことができる。液晶表示パネル７を押す力が８０Ｎを超えると操作スイッチ１４等を損傷する恐れがある。
なお、タッチパネル１０及び液晶表示パネル７を押して操作スイッチ１４を作動させた後、操作スイッチ１４から離間させてもＯＮ状態を維持してもよいし、ＯＦＦに切り換えてもよい。
【００２５】
また、液晶表示パネル７の表面に接着されたタッチパネル１０は、静電容量方式または抵抗膜方式等で構成されている。液晶表示パネル７の表示画面には、通常、図３（ａ）に示すように押しボタン１２が表示されており、火災発生時に使用者が押しボタン１２の部分を２０Ｎ以上の力で押すことで液晶表示パネル７を移動させることができる。
そして、液晶表示パネル７上の押しボタン１２を押すことでタッチパネル１０が作動（ＯＮ）し、例えば図３（ｂ）に示すように、表示画面が消火栓装置１における消火用ホースの使用方法(使用ガイド)の表示に切り替わる。
【００２６】
なお、消火用ホースの使用方法は消火栓装置１の種類に応じて異なる表示にすることができる。また、火災発生時以外の状態において、液晶表示パネル７の表示画面にはアニメーションや使用説明や時刻等を表示してもよく、この場合、画像の一部に火災報知機の押しボタン１２の画像を表示しておくことが好ましい。
また、液晶表示パネル７にアニメーションや時刻等の押しボタン１２以外の画像を表示した場合、表示灯６の周囲にセンサーを設置しておくことが好ましい。そして、火災発生時等に、使用者が液晶表示パネル７の前に立ったことをセンサーで検出して、図３（ａ）に示す押しボタン１２の画像に切り換えるようにしてもよい。
【００２７】
本実施形態による消火栓装置１の発信機２は上述した構成を備えており、次にその使用方法を説明する。
非火災時において、例えば発信機２の液晶表示パネル７には、図１及び図３（ａ）に示す火災報知器の押しボタン１２の画像が表示されている。そして、火災発生時に、ビル管理者や利用者等の使用者が火災の報知や消火等のためにタッチパネル１０及び液晶表示パネル７の押しボタン１２を押すと、液晶表示パネル７がコイルスプリング１３の付勢力に抗して支持枠体８側に移動して操作スイッチ１４を押す。
すると、操作スイッチ１４が作動して火災信号が発信され、監視室の火災受信機で受信される。火災受信機で火災信号を受信すると、火災警報が出力される。また、応答信号が発信されて消火栓装置１の応答ランプ４が点灯または点滅されて警報が表示される。更に、火災受信機では、消火用水を消火用ホースに供給する消火用ポンプを起動する。
【００２８】
また、使用者が液晶表示パネル７の表面に被着されたタッチパネル１０を押すことで、液晶表示パネル７の画像が押しボタン１２から図３（ｂ）に示す消火栓装置１の使用方法を示す画像に切り換わる。すると、使用者は液晶表示パネル７の使用ガイドに示す消火用ホースの使用方法に沿って消火作業を行うことができる。即ち、消火栓装置１の扉を開けて消火用ホースを引き出し、開閉レバーを操作して消火用ホースから放水を開始することができる。そのため、発信機２のタッチパネル１０及び液晶表示パネル７を押した使用者は、その後の消火作業の手順に迷うことがない。
【００２９】
上述したように本実施形態による消火栓装置１の発信機２によれば、表面にタッチパネル１０を設けた液晶表示パネル７を押すことで、タッチパネル１０を作動して液晶表示パネル７の画像を押しボタン１２から消火用ホースの使用方法に切り換えると共に、液晶表示パネル７を移動させて操作スイッチ１４を作動し火災信号を発信できる。また、操作スイッチ１４の作動によって、火災警報、消火栓装置１の応答ランプ４の点灯または点滅、消火用水供給用の消火用ポンプの起動を行うことができる。
【００３０】
また、タッチパネル１０及び液晶表示パネル７は表示灯６の装着枠６ａ及び消火栓装置１の壁面５より背面側に引っ込められているため、誤ってタッチパネル１０を押すことを防止できる。しかも、誤ってタッチパネル１０を押したとしても、使用者が２０Ｎ以上の力で押さないと液晶表示パネル７を移動できないため、いたずらや誤操作による誤作動を防止できる。
また、表示灯６は液晶表示パネル７より照度が大きく明るいため、消火栓装置１における発信機２の位置を使用者が容易に確認できる。
【００３１】
なお、本発明による消火栓装置１は上述の第一実施形態に限定されるものではなく、本発明の要旨を逸脱しない範囲で種々の変更や置換等が可能であり、これらはいずれも本発明に含まれる。以下に、本発明の他の実施形態や変形例について説明するが、上述の実施形態と同一または同様な部分、部材には同一の符号を用いて説明を省略する。
【００３２】
図４は本発明の第二実施形態による消火栓装置１Ａを示すものである。
本第二実施形態による消火栓装置１Ａの発信機２Ａでは、発信機２Ａを収納した発信機収納箱３の前側の壁面５に開口５ａが形成され、その背面側に開口５ａより拡径された透明な板状の強化ガラス１６が保護部材として配設されている。強化ガラス１６の背面には液晶表示パネル７が積層されて固着されている。液晶表示パネル７は強化ガラス１６より縦横方向の寸法が小さく、液晶表示パネル７の周囲に強化ガラス１６の周縁部が突出して形成されている。本実施形態では、液晶表示パネル７の前面にタッチパネル１０は装着されていない。
液晶表示パネル７の背面側には支持板１７が配設され、支持板１７の周縁部には強化ガラス１６との間にコイルスプリング１３が装着されている。支持板１７の液晶表示パネル７を外れた領域には操作スイッチ１４が設置されており、強化ガラス１６及び液晶表示パネル７が背面側に移動した際に、操作スイッチ１４は強化ガラス１６によって押圧されて作動する。
【００３３】
本第二実施形態による発信機２Ａでは、液晶表示パネル７の表示画面には常態において図３（ａ）に示す火災報知機の押しボタン１２の画像が表示されている。或いは、表示画面の一部に押しボタン１２が表示され、他の部分にはアニメーションや文字、時刻等の適宜の画像が表示されていてもよい。しかも、液晶表示パネル７の押しボタン１２は強化ガラス１６を通して目視確認できる。
また、使用者が強化ガラス１６を通して液晶表示パネル７の押しボタン１２を例えば２０Ｎ以上の力で押圧すると、強化ガラス１６と液晶表示パネル７はコイルスプリング１３の付勢力に抗して背面側に移動し、操作スイッチ１４を押圧する。これによって、第一実施形態と同様に、操作スイッチ１４から火災信号を発信できる。火災信号が監視室の火災受信機で受信されると、火災警報、消火栓装置１Ａの応答ランプ４の点灯、消火用水供給用の消火用ポンプの起動を行うことができる。
【００３４】
また、火災受信機で火災信号を受信することで、液晶表示パネル７の表示画像を押しボタン１２から他の画像、例えば消火用ホースの使用方法の画像に切り換える信号を出力するように設定してもよい。この場合には、操作スイッチ１４によって液晶表示パネル７の表示画像の切り換え操作も行えることになる。
【００３５】
次に、図５によって、本発明の第三実施形態による消火栓装置１Ｂを説明する。
本第三実施形態による消火栓装置１Ｂの発信機２Ｂは、第二実施形態による発信機２Ａと基本的に共通する構成を有している。
本第三実施形態による発信機２Ｂでは、液晶表示パネル７の前面、即ち強化ガラス１６側にタッチパネル１０が積層されている。また、強化ガラス１６の背面側、即ち液晶表示パネル７側に透明なスタイラスパッド(タッチペン)１９が固着されている。スタイラスパッド１９はタッチパネル１０と対向して配設されている。スタイラスパッド１９は基板となるシート２０のタッチパネル１０側の面に複数のパッド２１が所定間隔で配列されている。なお、パッド２１の数は任意であり、例えば１個だけ設置してもよい。
【００３６】
強化ガラス１６、スタイラスパッド１９、タッチパネル１０、液晶表示パネル７は一体に保持されている。しかも、スタイラスパッド１９のパッド２１とタッチパネル１０との間にはわずかな間隙が設定されており、この隙間に緩衝材を埋設してもよい。強化ガラス１６を押すことで、スタイラスパッド１９のパッド２１がタッチパネル１０に接触してタッチパネル１０を作動する。これによって、液晶表示パネル７の表示画面が押しボタン１２の画像から別の画像、例えば消火栓装置１Ｂの使用方法を示す画像に切り換わる。
また、液晶表示パネル７の周縁部の外側には、強化ガラス１６と支持板１７との間にコイルスプリング１３が装着され、更に支持板１７上に操作スイッチ１４が設置されている。この点は第二実施形態による発信機２Ａと共通している。
【００３７】
本第三実施形態による消火栓装置１Ｂの発信機２Ｂでは、常態において液晶表示パネル７の表示画面に例えば押しボタン１２の画像が表示されており、使用者はタッチパネル１０、スタイラスパッド１９及び強化ガラス１６を通して目視確認できる。そして、火災発生時に使用者が強化ガラス１６を介して液晶表示パネル７の押しボタン１２を例えば２０Ｎ以上の力で押圧すると、スタイラスパッド１９のパッド２１がタッチパネル１０に接触して作動する。これによって、液晶表示パネル７の表示画面は例えば押しボタン１２の画像から消火栓装置１Ｂの使用方法の画像に切り換わる。
【００３８】
しかも、押しボタン１２を例えば２０Ｎ以上の力で押圧することで、強化ガラス１６とスタイラスパッド１９とタッチパネル１０と液晶表示パネル７はコイルスプリング１３の付勢力に抗して背面側に一体に移動し、強化ガラス１６で操作スイッチ１４を押圧し作動する。これによって、上述の他の実施形態と同様に、操作スイッチ１４から火災信号を発信できる。また、火災信号が監視室の火災受信機で受信されると、火災警報、消火栓装置１Ｂの応答ランプ４の点灯、消火用水供給用の消火用ポンプの起動を行うことができる。
また、使用者は、液晶表示パネル７の使用方法の画像に示す消火用ホースの使用手順に沿って消火作業を行うことができる。
【００３９】
次に、図６によって、本発明の第四実施形態による消火栓装置１Ｃを説明する。
本第四実施形態による消火栓装置１Ｃの発信機２Ｃは、上述した第三実施形態による発信機２Ｂと基本的に共通する構成を有している。
そして、本実施形態による発信機２Ｃでは、操作スイッチ１４は一定時間以上継続して押されている場合に作動して火災信号を出力できるものとする。そのため、支持板１７に押圧された強化ガラス１６を係止させるためのラッチ部材２３が設置されている。ラッチ部材２３は、支持板１７から起立する起立部２４と、起立部２４の先端に形成されたラッチ部２５とが一体形成された略フック状の部材である。
【００４０】
ラッチ部２５は、強化ガラス１６の移動時にその周縁部で押されて弾性変形するテーパ状の当接面２５ａと、強化ガラス１６の周縁部を係止させる係止部２５ｂとで形成されている。しかも、ラッチ部材２３には強化ガラス１６を通過させる際に弾性変形した起立部２４を直立位置に復帰させるばね部材２６が係止されている。強化ガラス１６はラッチ部材２３で係止された状態で、操作スイッチ１４を連続して押しているためスイッチＯＮして作動される。
【００４１】
従って、火災発生時に、使用者が発信機２Ｃにおける強化ガラス１６及び押しボタン１２が表示された液晶表示パネル７を２０Ｎ以上の力で押すと、スタイラスパッド１９のパッド２１がタッチパネル１０に接触してスイッチＯＮする。これによって、液晶表示パネル７の表示画面が例えば押しボタン１２の画像から消火栓装置１Ｃの使用方法の画像に切り換わる。
しかも、強化ガラス１６とスタイラスパッド１９とタッチパネル１０と液晶表示パネル７はコイルスプリング１３の付勢力に抗して背面側に移動し、強化ガラス１６で操作スイッチ１４を押圧する。
【００４２】
強化ガラス１６で操作スイッチ１４を押す位置で、強化ガラス１６はその周縁部がラッチ部材２３の当接面２５ａを押して弾性変形させ、操作スイッチ１４を押した位置で強化ガラス１６がラッチ部２５によって係止される。
操作スイッチ１４は強化ガラス１６で一定時間以上押されるとスイッチＯＮとされ、上述の他の実施形態と同様に、操作スイッチ１４から火災信号を発信できる。火災信号が監視室の火災受信機で受信されると、火災警報が出力され、消火栓装置１Ａの応答ランプ４が点灯され、消火用水供給用の消火用ポンプの起動が継続して行われる。使用者は、液晶表示パネル７の消火用ホースの使用方法の手順に沿って消火作業を行うことができる
そして、ラッチ部材２３を変形させて強化ガラス１６とラッチ部材２３の係止を外すと、コイルスプリング１３の付勢力によって、強化ガラス１６、スタイラスパッド１９、タッチパネル１０、液晶表示パネル７が一体に元の位置に復帰する。
【００４３】
本第四実施形態による発信機２Ｃによれば、火災発生時に強化ガラス１６を押圧することで、強化ガラス１６がラッチ部材２３で係止されている間は操作スイッチ１４が長押し状態に保持される。そのため、操作スイッチ１４から出力される火災信号によって、連続して火災警報の発信、消火栓装置１Ｃの応答ランプ４の点灯、消火用ポンプの起動が継続して行われる。使用者等が誤って強化ガラス１６を一時的に押した場合には操作スイッチ１４は作動しないため、誤作動を防止できる。
【００４４】
なお、上述した第一実施形態において、壁面５の開口５ａの周囲に表示灯６を設置する場合、表示灯６は略四角形枠状や円形等のリング状に限定されることなく、半円形等、適宜の形枠状でもよく、或いは略直線状や円弧状などの線状、ドット状等で形成してもよい。表示灯６はその近傍位置に発信機２、２Ａ、２Ｂ、２Ｃを設置したことを使用者が認識できればよい。
また、上述した各実施形態による発信機２、２Ａ、２Ｂ、２Ｃにおいて、液晶表示パネル７の前面には少なくともタッチパネル１０と強化ガラス１６の一方または両方が設置されているが、タッチパネル１０と強化ガラス１６のいずれをも設置しなくてもよい。この場合、液晶表示パネル７を直接、指等で押圧し移動させることができる。
また、液晶表示パネル７の表示画面に押しボタン１２の画像を表示するようにしたが、押しボタン１２に代えて押すという文字やマークや指の絵等で表示してもよい。
【００４５】
なお、第二実施形態から第四実施形態による発信機２Ａ、２Ｂ、２Ｃでは液晶表示パネル７が背面側に移動した際、液晶表示パネル７を外れた強化ガラス１６によって操作スイッチ１４を押圧して作動するようにしたが、これに代えて液晶表示パネル７で操作スイッチ１４を押圧して作動するように支持板１７に配設してもよい。
また、第四実施形態による発信機２Ｃでは、液晶表示パネル７が背面側に移動した際、液晶表示パネル７を外れた位置の強化ガラス１６で操作スイッチ１４を作動してラッチ部材２３で保持するようにしたが、これに代えて、液晶表示パネル７の周縁部をラッチ部材２３で保持するようにしてもよい。
【００４６】
また、表示灯６は第一実施形態による発信機２に限定されることなく、他の実施形態等においても壁面５の開口５ａに設置することができる。これによって、使用者は発信機２、２Ａ、２Ｂ、２Ｃの設置位置を容易に認識できる。
また、液晶表示パネル７は表示パネルに含まれるが、表示パネルとして液晶表示パネル７に限定されることなく有機ＥＬパネル等、適宜のものを採用できる。
なお、発信機２、２Ａ、２Ｂ、２Ｃに設けられる電話ジャックについては筐体内や発信機近傍に別途備えてもよい。或いは、電話ジャックを無くして、受話器を用いないマイクとスピーカによるハンズフリー電話の機能を備えて、タッチパネルの操作により非常電話の信号を受信機に送信するなどして対応してもよい。
【００４７】
上述した各実施形態による発信機２、２Ａ、２Ｂ、２Ｃは、消火栓装置１、１Ａ、１Ｂ、１Ｃに適用したものについて説明したが、本発明による発信機２、２Ａ、２Ｂ、２Ｃは消火栓装置１、１Ａ、１Ｂ、１Ｃに装着したものに限定されない。例えば、火災以外の種類の警報装置やインターフォン、処理装置等にも適用できる。本発明の発信機をインターフォンに適用する場合には、カメラを設置したりセンサーやスピーカやマイク等を追加して設置したりしてもよい。
【符号の説明】
【００４８】
１、１Ａ、１Ｂ、１Ｃ  消火栓装置
２、２Ａ、２Ｂ、２Ｃ  発信機
６  表示灯
７  液晶表示パネル
８  支持枠体
１０  タッチパネル
１２  押しボタン
１３  コイルスプリング
１４  操作スイッチ
１７  支持板
１９  スタイラスパッド
２１  パッド
２３  ラッチ部材
【図１】
2020129299.tif 000003
【図２】
2020129299.tif 000004
【図３】
2020129299.tif 000005
【図４】
2020129299.tif 000006
【図５】
2020129299.tif 000007
【図６】
2020129299.tif 000008
【図７】
2020129299.tif 000009